(57)【要約】【課題】はじめて使用する場合でも微妙なキー操作感を客観的に把握する。【解決手段】撮影時に押圧操作するシャッタキー９  と、このシャッタキー９  が押圧操作されているストローク量を検出し、その検出したストローク量を表示部１７で段階的に表示させる制御部３２とを備える。【選択図】    図２
2004354498.tif 000002
【特許請求の範囲】
【請求項１】
撮影時に押圧操作するキーと、
このキーが押圧操作されているストローク量を検出する検出手段と、
この検出手段で検出されたキーのストローク量を段階的に表示する表示手段とを具備したことを特徴とする撮像装置。
【請求項２】
上記キーは撮影タイミングを決定するシャッタキーであり、
上記表示手段は、シャッタキーが撮影条件を決定する半押し状態までのストローク量を表示する請求項１記載の撮像装置。
【請求項３】
上記検出手段は、キーのストローク量を段階的に検出し、
この検出手段で得られるキーのストローク量の段階毎に所定の撮影機能を割当てる
ことを特徴とする請求項１記載の撮像装置。
【請求項４】
上記表示手段は、キーのストローク量を棒状の表示体の数により段階的に表示することを特徴とする請求項１記載の撮像装置。
【請求項５】
上記表示手段は、キーのストローク量を表示体の数と表示色により段階的に表示することを特徴とする請求項１記載の撮像装置。
【請求項６】
上記シャッタキーは静止画の撮影タイミングを決定するものであり、
上記所定の撮影機能は複数の静止画の撮影を含む
ことを特徴とする請求項３記載の撮像装置。
【請求項７】
上記複数の静止画の撮影は、露出条件を可変するオートブラケット機能に基づくことを特徴とする請求項６記載の撮像装置。
【請求項８】
撮影時に押圧操作されているキーのストローク量を検出する検出工程と、
この検出工程で検出されたキーのストローク量を段階的に表示する表示工程とを有したことを特徴とするキー操作状態表示方法。
【請求項９】
撮像装置に内蔵されたコンピュータが実行するプログラムであって、
撮影時に押圧操作されているキーのストローク量を検出する検出ステップと、
この検出ステップで検出されたキーのストローク量を段階的に表示する表示ステップと
をコンピュータに実行させることを特徴とするプログラム。
【発明の詳細な説明】
【０００１】
【発明の属する技術分野】
本発明は、特にデジタルスチルカメラに好適な撮像装置、キー操作状態表示方法及びプログラムに関する。
【０００２】
【従来の技術】
一般に多くのカメラでは、銀塩フィルムを用いる銀塩カメラとＣＣＤ等の電子撮像素子を用いるデジタルスチルカメラの別によらず、撮影タイミングを決定するためのシャッタキーが２段階のストロークで動作するようになっている。
【０００３】
具体的には、シャッタキーを１段目、所謂「半押し」と呼ばれる状態まで操作するとＡＦ（自動合焦）動作及びＡＥ（自動露出）動作を実行してそれぞれの値をロックし、２段目、所謂「全押し」と呼ばれる状態まで操作された時点で上記ロックされた値の条件に従って撮影を実行する。
【０００４】
シャッタキーの半押し状態で、ＡＦ動作を行なって非合焦の場合や合焦してもセンサーパララックスの保証外の場合には合焦の場合とは異なる色でフレーム枠を表示する例が記載されている。（例えば、特許文献１参照。）
【０００５】
【特許文献１】
特開２０００−０９２３５４号公報
【０００６】
【発明が解決しようとする課題】
しかしながら、２段階のストロークで動作するシャッタキーの特に「半押し」の操作感は、そのカメラの製造メーカ、機種及び個々の個体によっても異なるものであり、そのカメラをある程度使い込むことで習熟する、言われる「慣れ」による部分がきわめて大きい。したがって、はじめて使用するカメラで短時間のうちにシャッタキーの半押し状態を把握するのはきわめて困難であった。
【０００７】
本発明は上記のような実情に鑑みてなされたもので、その目的とするところは、はじめて使用する場合でも微妙なキー操作感を客観的に把握することが可能な撮像装置、キー操作状態表示方法及びプログラムを提供することにある。
【０００８】
【課題を解決するための手段】
請求項１記載の発明は、撮影時に押圧操作するキーと、このキーが押圧操作されているストローク量を検出する検出手段と、この検出手段で検出されたキーのストローク量を段階的に表示する表示手段とを具備したことを特徴とする。
【０００９】
このような構成とすれば、操作キーのストローク量を検出して段階的に表示することにより、はじめて押圧操作するキーでもその微妙な操作量を視認することで客観的に把握しながら操作できる。
【００１０】
請求項２記載の発明は、上記請求項１記載の発明において、上記キーは撮影タイミングを決定するシャッタキーであり、上記表示手段は、シャッタキーが撮影条件を決定する半押し状態までのストローク量を表示する。
【００１１】
このような構成とすれば、上記請求項１記載の発明の作用に加えて、特にシャッタキーで撮影条件を決定する半押し状態までのストローク量を段階的に表示することで、適正な合焦、露出状態を得ることができ、意図する静止画を確実に撮影できる。
【００１２】
請求項３記載の発明は、上記請求項１記載の発明において、上記検出手段は、キーのストローク量を段階的に検出し、この検出手段で得られるキーのストローク量の段階毎に所定の撮影機能を割当てることを特徴とする。
【００１３】
このような構成とすれば、上記請求項１記載の発明の作用に加えて、キー操作のストローク量を変えるだけの簡単な操作により、単なる静止画撮影以上の撮影機能を容易に実現できる。
【００１４】
請求項４記載の発明は、上記請求項１記載の発明において、上記表示手段は、キーのストローク量を棒状の表示体の数により段階的に表示することを特徴とする。
【００１５】
このような構成とすれば、上記請求項１記載の発明の作用に加えて、キーのストローク量を視覚的に理解し易い形で表示できる。
【００１６】
請求項５記載の発明は、上記請求項１記載の発明において、上記表示手段は、キーのストローク量を表示体の数と表示色により段階的に表示することを特徴とする。
【００１７】
このような構成とすれば、上記請求項１記載の発明の作用に加えて、キーのストローク量を視覚的により理解し易い形で表示できる。
【００１８】
請求項６記載の発明は、上記請求項３記載の発明において、上記シャッタキーは静止画の撮影タイミングを決定するものであり、上記所定の撮影機能は複数の静止画の撮影を含むことを特徴とする。
【００１９】
このような構成とすれば、上記請求項３記載の発明の作用に加えて、シャッタキーを操作するストローク量を変えるだけの簡単な力の加減により静止画を連続して撮影する枚数を制御できるため、シャッタチャンスを逃さず確実に意図する静止画を撮影することができる。
【００２０】
請求項７記載の発明は、上記請求項６記載の発明において、上記複数の静止画の撮影は、露出条件を可変するオートブラケット機能に基づくことを特徴とする。
【００２１】
このような構成とすれば、上記請求項６記載の発明の作用に加えて、シャッタキーを操作するストローク量を変えるだけの簡単な力の加減によりオートブラケット機能の有無及びその撮影枚数を制御できるため、意図する適正な露出での静止画を確実に撮影することができる。
【００２２】
請求項８記載の発明は、撮影時に押圧操作されているキーのストローク量を検出する検出工程と、この検出工程で検出されたキーのストローク量を段階的に表示する表示工程とを有したことを特徴とする。
【００２３】
このような方法とすれば、操作キーのストローク量を検出して段階的に表示することにより、はじめて押圧操作するキーでもその微妙な操作量を視認することで客観的に把握しながら操作できる。
【００２４】
請求項９記載の発明は、撮像装置に内蔵されたコンピュータが実行するプログラムであって、撮影時に押圧操作されているキーのストローク量を検出する検出ステップと、この検出ステップで検出されたキーのストローク量を段階的に表示する表示ステップとをコンピュータに実行させることを特徴とする。
【００２５】
このようなプログラム内容とすれば、操作キーのストローク量を検出して段階的に表示することにより、はじめて押圧操作するキーでもその微妙な操作量を視認することで客観的に把握しながら操作できる。
【００２６】
【発明の実施の形態】
（第１の実施の形態）
以下本発明をデジタル（スチル）カメラに適用した場合の第１の実施の形態について図面を参照して説明する。
【００２７】
図１は、その外観構成を示すもので、図１（Ａ）が主に前面の、図１（Ｂ）が主に背面の構成を示す斜視図である。
【００２８】
このデジタルカメラ１は、略矩形の薄板状ボディの前面に、撮影レンズ２、セルフタイマランプ３、光学ファインダ窓４、マイクロホン部５、ストロボ発光部６、及びラバーグリップ７を配設し、上面の（ユーザにとって）右端側には電源キー８及びシャッタキー９を配する。
【００２９】
ラバーグリップ７は、ユーザが撮影時にデジタルカメラ１を右手で筐体右側面側から把持した場合に右手中指、薬指、及び小指が確実に該筐体を把持できるように配設されたゴム製の帯状突起である。
【００３０】
また、電源キー８は、電源のオン／オフ毎に操作するキーであり、シャッタキー９は、記録モード時に撮影タイミングを決定する。
【００３１】
また、デジタルカメラ１の背面には、モードスイッチ（ＳＷ）１０、スピーカ部１１、メニューキー１２、十字キー１３、セットキー１４、光学ファインダ１５、ストロボチャージランプ１６、及び表示部１７を配する。
【００３２】
モードスイッチ１０は、例えばスライドキースイッチにより構成され、基本モードである記録モード「Ｒ」と再生モード「Ｐ」とを切換える。
【００３３】
メニューキー１２は、各種メニュー項目等を選択させる際に操作する。
【００３４】
十字キー１３は、上下左右各方向へのカーソル移動用のキーが一体に形成されたものであり、表示されているメニュー項目等を移動させる際に操作する。
【００３５】
セットキー１４は、上記十字キー１３の中心位置に配置され、その時点で選択されているメニュー項目内容等を設定するために操作する。
【００３６】
ストロボチャージランプ１６は、光学ファインダ１５に近接して配設されたＬＥＤランプでなり、このデジタルカメラ１のユーザが光学ファインダ１５を覗いている場合と表示部１７を見ている場合のいずれであってもストロボのチャージ状態等をユーザに視認させる。
【００３７】
表示部１７は、バックライト付きのカラー液晶パネルで構成されるもので、記録モード時には電子ファインダとしてスルー画像のモニタ表示を行なう一方で、再生モード時には選択した画像等を再生表示する。
【００３８】
なお、図示はしないがデジタルカメラ１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉｕａｌ  Ｂｕｓ）コネクタ等が設けられるものとする。
【００３９】
次いで図２により上記デジタルカメラ１の電子回路構成を説明する。
【００４０】
同図で、基本モードである記録モードにおいては、モータ（Ｍ）２１の駆動により合焦位置や絞り位置が移動される、上記撮影レンズ２を構成するレンズ光学系２２の撮影光軸後方に配置された撮像素子であるＣＣＤ２３が、タイミング発生器（ＴＧ）２４、垂直ドライバ２５によって走査駆動され、一定周期毎に結像した光像に対応する光電変換出力を１画面分出力する。
【００４１】
この光電変換出力は、アナログ値の信号の状態でＲＧＢの各原色成分毎に適宜ゲイン調整された後に、サンプルホールド回路（Ｓ／Ｈ）２６でサンプルホールドされ、Ａ／Ｄ変換器２７でデジタルデータに変換され、カラープロセス回路２８で画素補間処理及びγ補正処理を含むカラープロセス処理が行なわれて、デジタル値の輝度信号Ｙ及び色差信号Ｃｂ，Ｃｒが生成され、ＤＭＡ（ＤｉｒｅｃｔＭｅｍｏｒｙ  Ａｃｃｅｓｓ）コントローラ２９に出力される。
【００４２】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号、及びクロック信号を用いて一度ＤＭＡコントローラ２９内部のバッファに書込み、ＤＲＡＭインタフェース（Ｉ／Ｆ）３０を介してバッファメモリとして使用されるＤＲＡＭ３１にＤＭＡ転送を行なう。
【００４３】
制御部３２は、ＣＰＵと、後述する記録モード時のシャッタキー９の操作に対する処理を含む該ＣＰＵで実行される動作プログラムを固定的に記憶したＲＯＭ、及びワークメモリとして使用されるＲＡＭ等により構成され、このデジタルカメラ１全体の制御動作を司るもので、上記輝度及び色差信号のＤＲＡＭ３１へのＤＭＡ転送終了後に、この輝度及び色差信号をＤＲＡＭインタフェース３０を介してＤＲＡＭ３１より読出し、ＶＲＡＭコントローラ３３を介してＶＲＡＭ３４に書込む。
【００４４】
デジタルビデオエンコーダ３５は、上記輝度及び色差信号をＶＲＡＭコントローラ３３を介してＶＲＡＭ３４より定期的に読出し、これらのデータを元にビデオ信号を発生して上記表示部１７に出力する。
【００４５】
この表示部１７は、上述した如く記録モード時にはモニタ表示部（電子ファインダ）として機能するもので、デジタルビデオエンコーダ３５からのビデオ信号に基づいた表示を行なうことで、その時点でＶＲＡＭコントローラ３３から取込んでいる画像情報に基づく画像をリアルタイムに表示することとなる。
【００４６】
このように表示部１７にその時点での画像がモニタ画像としてリアルタイムに表示されている状態で、静止画撮影を行ないたいタイミングで上記シャッタキー９を操作すると、トリガ信号を発生する。
【００４７】
制御部３２は、このトリガ信号に応じてその時点でＣＣＤ２３から取込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する。
【００４８】
この記録保存の状態では、制御部３２がＤＲＡＭ３１に書込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路３６に書込み、このＪＰＥＧ回路３６でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４９】
そして、得た符号データを１画像のデータファイルとして該ＪＰＥＧ回路３６から読出し、このデジタルカメラ１の記録媒体として着脱自在に装着されるメモリカード３７か、またはこのデジタルカメラ１に固定的に内蔵される内蔵メモリ３８のいずれか一方に書込む。
【００５０】
そして、１フレーム分の輝度及び色差信号の圧縮処理及びメモリカード３７または内蔵メモリ３８への全圧縮データの書込み終了に伴なって、制御部３２はＣＣＤ２３からＤＲＡＭ３１への経路を再び起動する。
【００５１】
上記シャッタキー９は、他の操作キーとは異なり、複数ストローク、例えば５段階のストローク量を検出可能なストローク量センサあるいは多段スイッチを並設しており、その押圧操作に対するストローク量も検出され、検出信号が上記制御部３２に直接送出される。
【００５２】
また、制御部３２にはさらに、キー入力部３９、音声処理部４０、ＵＳＢインタフェース（Ｉ／Ｆ）４１、及びストロボ駆動部４２が接続される。
【００５３】
キー入力部３９は、上述したシャッタキー９を除く、上記電源キー８、モードスイッチ１０、メニューキー１２、十字キー１３及びセットキー１４等から構成され、それらのキー操作に伴なう信号は直接制御部３２へ送出される。
【００５４】
音声処理部４０は、ＰＣＭ音源等の音源回路を備え、音声の録音時には上記マイクロホン部（ＭＩＣ）５より入力された音声信号をデジタル化し、所定のデータファイル形式、例えばＭＰ３（ＭＰＥＧ−１  ａｕｄｉｏ  ｌａｙｅｒ  ３）規格にしたがってデータ圧縮して音声データファイルを作成してメモリカード３７または内蔵メモリ３８へ送出する一方、音声の再生時にはメモリカード３７または内蔵メモリ３８から送られてきた音声データファイルの圧縮を解いてアナログ化し、上記スピーカ部（ＳＰ）１１を駆動して、拡声放音させる。
【００５５】
ＵＳＢインタフェース４１は、ＵＳＢコネクタを介して有線接続されるパーソナルコンピュータ等の他の情報端末装置との間で画像データその他の送受を行なう場合の通信制御を行なう。
【００５６】
ストロボ駆動部４２は、静止画像撮影時に図示しないストロボ用の大容量コンデンサを充電した上で、制御部３２からの制御に基づいて上記ストロボ発光部６を閃光駆動する。
【００５７】
しかるに、静止画像ではなく動画像の撮影時においては、シャッタキー９が操作され続けている間、上述した静止画像データをＪＰＥＧ回路３６でデータ圧縮した静止画データファイルのメモリカード３７または内蔵メモリ３８への記録を時間的に連続して実行し、該シャッタキー９の操作が終わるか、または所定の制限時間、例えば３０秒が経過した時点でそれら一連の静止画データファイルを一括してモーションＪＰＥＧのデータファイルとして設定し直す。
【００５８】
また、基本モードである再生モード時には、制御部３２がメモリカード３７または内蔵メモリ３８に記録されている画像データを選択的に読出し、ＪＰＥＧ回路３６で記録モード時にデータ圧縮した手順と全く逆の手順で圧縮されている画像データを伸長し、伸長した画像データをＤＲＡＭインタフェース３０を介してＤＲＡＭ３１に保持させた上で、このＤＲＡＭ３１の保持内容をＶＲＡＭコントローラ３３を介してＶＲＡＭ３４に記憶させ、このＶＲＡＭ３４より定期的に画像データを読出してビデオ信号を発生し、上記表示部１７で再生出力させる。
【００５９】
選択した画像データが静止画像ではなく動画像であった場合、選択した動画像ファイルを構成する個々の静止画像データの再生を時間的に連続して実行し、すべての静止画像データの再生を終了した時点で、次に再生の指示がなされるまで先頭に位置する静止画像データのみを用いて再生表示する。
【００６０】
次に上記実施の形態の動作について説明する。
【００６１】
なお、以下に示す各処理は、基本的に制御部３２が予め固定記憶されたプログラムに基づいて実行するものである。
【００６２】
図３は、記録モード時のシャッタキー９の操作に対する処理内容を示すもので、その当初にはキー入力部３６の全５段階のストローク量を有するシャッタキー９が最も弱い押圧操作状態である第１ストロークとなるのを待機する（ステップＡ０１）。
【００６３】
そして、シャッタキー９が少なくとも第１ストロークまで操作されたと判断した時点で、表示部１７のシャッタストロークメータの第１バーを点灯駆動させる（ステップＡ０２）と同時に、第２ストロークの押圧操作状態となっているか否かを判断する（ステップＡ０３）。
【００６４】
図４（Ａ）は記録モード時に表示部１７の左下端部に表示されるシャッタストロークメータＳＳＭを例示するものである。同図（Ｂ）に示すようにシャッタストロークメータＳＳＭは、左側に位置する長さが最も短い第１バーＢ１乃至右側に位置する長さが最も長い第５バーＢ５の計５本の表示バーでなり、その点灯表示本数でシャッタキー９の押圧操作されているストローク量を示すものとする。
【００６５】
これら５本の表示バーＢ１〜Ｂ５は、シャッタキー９をまったく押圧操作していない状態ではその枠線のみが表示される一方で、シャッタキー９が押圧操作された場合にはそのストローク量に応じて第１バーＢ１側から適切な本数分だけが例えば赤色で点灯表示されるものとする。
【００６６】
加えて、シャッタストロークメータＳＳＭの第１乃至第３バーＢ１〜Ｂ３が点灯表示される状態で所謂半押し状態としてＡＦ処理とＡＥ処理とを実行してそれらの値をロックし、第１乃至第５バーＢ１〜Ｂ５がすべて点灯表示されるフルストローク状態で所謂全押し状態として静止画の撮影とメモリカード３７または内蔵メモリ３８への記録を実行するものとする。
【００６７】
しかるに、上記ステップＡ０３で第２ストロークの押圧操作状態となっていないと判断した場合には、上記ステップＡ０１からの処理に戻る一方、シャッタキー９が少なくとも第２ストロークまで操作されたと判断した場合には、表示部１７のシャッタストロークメータＳＳＭの第１バーＢ１及び第２バーＢ２を共に点灯駆動させる（ステップＡ０４）と同時に、第３ストロークの押圧操作状態となっているか否かを判断する（ステップＡ０５）。
【００６８】
ここで第３ストロークの押圧操作状態となっていないと判断した場合には、上記ステップＡ０１からの処理に戻る一方、シャッタキー９が少なくとも第３ストロークまで操作されたと判断した場合には、表示部１７のシャッタストロークメータＳＳＭの第１バーＢ１乃至第３バーＢ３の計３本を共に点灯駆動させ（ステップＡ０６）、併せてＡＦ処理とＡＥ処理とを実行して、得た合焦値及び露出値に基づいてレンズ光学系２２の一部を構成するフォーカスレンズ位置と絞り値及びシャッタ速度をロックする（ステップＡ０７）と同時に、第４ストロークの押圧操作状態となっているか否かを判断する（ステップＡ０８）。
【００６９】
第４ストロークの押圧操作状態となっていると判断した場合には、表示部１７のシャッタストロークメータＳＳＭの第１バーＢ１乃至第４バーＢ４の計４本を共に点灯駆動させる（ステップＡ０９）と同時に、第５ストロークの押圧操作状態、所謂全押しの状態となっているか否かを判断する（ステップＡ１０）。
【００７０】
このステップＡ１０で第５ストロークの押圧操作状態とはなっていないと判断した場合、あるいは上記ステップＡ０８で第４ストロークの押圧操作状態とはなっていると判断した場合には、続いて上記第３ストロークの押圧操作状態が保たれているか否かを判断する（ステップＡ１１）。
【００７１】
ここで、シャッタキー９が第３ストロークの押圧操作状態で保たれていると判断した場合には、表示部１７のシャッタストロークメータＳＳＭの第１バーＢ１乃至第３バーＢ３の計３本を共に点灯駆動させ（ステップＡ１２）、再び上記ステップＡ０８からの処理に戻って、上記合焦状態及び露出状態をロックしながら、シャッタキー９が全押しの状態となるのを待機する。
【００７２】
また、ステップＡ１１でシャッタキー９が第３ストロークの押圧操作状態とはなっていないと判断した場合には、シャッタキー９の半押し状態が解除されたものとして、ロックしていた合焦状態及び露出状態を解除した後（ステップＡ１３）、再び上記ステップＡ０１からの処理に戻る。
【００７３】
また、上記ステップＡ１０でシャッタキー９が第５ストロークの押圧操作状態、所謂全押しの状態となったと判断した場合には、あらためてシャッタストロークメータＳＳＭの第１バーＢ１乃至第５バーＢ５の全５本を共に点灯駆動させ（ステップＡ１４）、上記ロックした合焦値及び露出値に基づく撮影を実行して（ステップＡ１５）、得た画像データを圧縮した後にメモリカード３７または内蔵メモリ３８に記録し（ステップＡ１６）、以上で一連の静止画撮影に関する処理を一旦終了して、次の撮影に備えるべく上記ステップＡ０１からの処理に戻る。
【００７４】
このように、シャッタキー９の操作ストローク量を検出して段階的に表示することにより、ユーザがはじめてこのデジタルカメラ１のシャッタキー９を押圧操作する場合でも、その微妙な操作量を視認することで客観的に把握しながら正確に撮影操作できる。
【００７５】
この場合、特に他の操作キーではなく、撮影条件を決定するシャッタキー９の半押し状態までのストローク量を含めて段階的に表示することで、適正な合焦、露出状態を得ることができ、ユーザが意図する静止画を確実に撮影できる。
【００７６】
また、表示部１７ではシャッタキー９の操作ストローク量をシャッタストロークメータＳＳＭとして第１バーＢ１乃至第５バーＢ５の計５本の棒状の表示体の数により段階的に表示するものとしたので、シャッタキー９のストローク量を視覚的に非常に理解し易い形で表示できる。
【００７７】
なお、上述した如くシャッタストロークメータＳＳＭで点灯駆動するバーの数によりシャッタキー９のストローク量を段階的に表示するものとしたが、ただ単に同一色により点灯駆動するのではなく、例えば第１バーＢ１及び第２バーを緑色で、第３バーＢ３及び第４バーを黄色で、そして第５バーを赤色で、というように、バーの位置に対応して点灯色を段階的に異ならせて表示するものとすれば、シャッタキー９の操作ストローク量を視覚的により理解し易い形で表示できる。
【００７８】
（第２の実施の形態）
以下本発明をデジタル（スチル）カメラに適用した場合の第２の実施の形態について図面を参照して説明する。
【００７９】
なお、その外観構成に関しては上記図１と、カメラの電子回路構成に関しては上記図２とそれぞれ基本的に同様であるものとし、同一部分には同一符号を付加してその図示及び説明は省略するものとする。
【００８０】
次に上記実施の形態の動作について説明する。
【００８１】
なお、以下に示す各処理は、基本的に制御部３２が予め固定記憶されたプログラムに基づいて実行するものである。
【００８２】
図５及び図６は、記録モード時のシャッタキー９の操作に対する処理内容を示すもので、その当初にはキー入力部３６の全９段階のストローク量を有するシャッタキー９が最も弱い押圧操作状態である第１ストロークとなるのを待機する（ステップＢ０１）。
【００８３】
そして、シャッタキー９が少なくとも第１ストロークまで操作されたと判断した時点で、表示部１７のシャッタストロークメータの第１バーを点灯駆動させる（ステップＢ０２）と同時に、第２ストロークの押圧操作状態となっているか否かを判断する（ステップＢ０３）。
【００８４】
図７は、記録モード時に表示部１７の左下端部に表示されるシャッタストロークメータＳＳＭ′を例示するものである。シャッタストロークメータＳＳＭ′は、左側に位置する長さが最も短い第１バーＢ１乃至右側に位置する長さが最も長い第９バーＢ９の計９本の表示バーでなり、その点灯表示本数でシャッタキー９の押圧操作されているストローク量を示すものとする。
【００８５】
これら９本の表示バーＢ１〜Ｂ９は、シャッタキー９をまったく押圧操作していない状態ではその枠線のみが表示される一方で、シャッタキー９が押圧操作された場合にはそのストローク量に応じて第１バーＢ１側から適切な本数分だけが例えば赤色で点灯表示されるものとする。
【００８６】
加えて、シャッタストロークメータＳＳＭ′の第１乃至第３バーＢ１〜Ｂ３が点灯表示される状態で所謂半押し状態としてＡＦ処理とＡＥ処理とを実行してそれらの値をロックし、第１乃至第５バーＢ１〜Ｂ５が点灯表示される状態で所謂全押し状態として１枚目の静止画の撮影とメモリカード３７または内蔵メモリ３８への記録を実行するものとする。
【００８７】
さらに、第１乃至第７バーＢ１〜Ｂ７が点灯表示される状態で２枚目の静止画の撮影とメモリカード３７または内蔵メモリ３８への記録を、第１乃至第９バーＢ１〜Ｂ９がすべて点灯表示されるフルストローク状態で３枚目の静止画の撮影とメモリカード３７または内蔵メモリ３８への記録をそれぞれ実行するものとする。
【００８８】
このように、本実施の形態では、シャッタキー９が９段階中の４段階の操作ストロークでそれぞれ割り当てられた動作を実行するものとして、その９段階の操作ストロークを表示部１７で表示するものとする。
【００８９】
しかるに、上記ステップＢ０３で第２ストロークの押圧操作状態となっていないと判断した場合には、上記ステップＢ０１からの処理に戻る一方、シャッタキー９が少なくとも第２ストロークまで操作されたと判断した場合には、表示部１７のシャッタストロークメータＳＳＭの第１バーＢ１及び第２バーＢ２を共に点灯駆動させる（ステップＢ０４）と同時に、第３ストロークの押圧操作状態となっているか否かを判断する（ステップＢ０５）。
【００９０】
ここで第３ストロークの押圧操作状態となっていないと判断した場合には、上記ステップＢ０１からの処理に戻る一方、シャッタキー９が少なくとも第３ストロークまで操作されたと判断した場合には、表示部１７のシャッタストロークメータＳＳＭ′の第１バーＢ１乃至第３バーＢ３の計３本を共に点灯駆動させ（ステップＢ０６）、併せてＡＦ処理とＡＥ処理とを実行して、得た合焦値及び露出値に基づいてレンズ光学系２２の一部を構成するフォーカスレンズ位置と絞り値及びシャッタ速度をロックする（ステップＢ０７）と同時に、第４ストロークの押圧操作状態となっているか否かを判断する（ステップＢ０８）。
【００９１】
第４ストロークの押圧操作状態となっていると判断した場合には、表示部１７のシャッタストロークメータＳＳＭ′の第１バーＢ１乃至第４バーＢ４の計４本を共に点灯駆動させる（ステップＢ０９）と同時に、第５ストロークの押圧操作状態となっているか否かを判断する（ステップＢ１０）。
【００９２】
このステップＢ１０で第５ストロークの押圧操作状態とはなっていないと判断した場合、あるいは上記ステップＢ０８で第４ストロークの押圧操作状態とはなっていると判断した場合には、続いて上記第３ストロークの押圧操作状態が保たれているか否かを判断する（ステップＢ１１）。
【００９３】
ここで、シャッタキー９が第３ストロークの押圧操作状態で保たれていると判断した場合には、表示部１７のシャッタストロークメータＳＳＭ′の第１バーＢ１乃至第３バーＢ３の計３本を共に点灯駆動させ（ステップＢ１２）、再び上記ステップＢ０８からの処理に戻って、上記合焦状態及び露出状態をロックしながら、シャッタキー９が第５ストロークの押圧操作状態となるのを待機する。
【００９４】
また、ステップＢ１１でシャッタキー９が第３ストロークの押圧操作状態とはなっていないと判断した場合には、シャッタキー９の半押し状態が解除されたものとして、ロックしていた合焦状態及び露出状態を解除した後（ステップＢ１３）、再び上記ステップＢ０１からの処理に戻る。
【００９５】
また、上記ステップＢ１０でシャッタキー９が第５ストロークの押圧操作状態となったと判断した場合には、あらためてシャッタストロークメータＳＳＭ′の第１バーＢ１乃至第５バーＢ５の５本を共に点灯駆動させ（ステップＢ１４）、上記ロックした合焦値及び露出値に基づく１枚目の静止画撮影を実行して（ステップＢ１５）、得た画像データを圧縮した後にメモリカード３７または内蔵メモリ３８に記録する（ステップＢ１６）。
【００９６】
その後、さらにシャッタキー９が第６ストロークの押圧操作状態となっているか否か判断し（ステップＢ１７）、なっている場合にはシャッタストロークメータＳＳＭ′の第１バーＢ１乃至第６バーＢ６の６本を共に点灯駆動させた上で（ステップＢ１８）、シャッタキー９が第７ストロークの押圧操作状態となっているか否か判断する（ステップＢ１９）。
【００９７】
シャッタキー９が第７ストロークの押圧操作状態となっている場合には、シャッタストロークメータＳＳＭ′の第１バーＢ１乃至第７バーＢ７の７本を共に点灯駆動させ（ステップＢ２０）、併せて上記ロックした合焦値及び露出値に基づく２枚目の静止画撮影を実行して（ステップＢ２１）、得た画像データを圧縮した後にメモリカード３７または内蔵メモリ３８に記録する（ステップＢ２２）。
【００９８】
その上で、さらにシャッタキー９が第８ストロークの押圧操作状態となっているか否か判断し（ステップＢ２３）、なっている場合にはシャッタストロークメータＳＳＭ′の第１バーＢ１乃至第８バーＢ８の８本を共に点灯駆動させた上で（ステップＢ２４）、シャッタキー９が第９ストロークの押圧操作状態となっているか否か判断する（ステップＢ２５）。
【００９９】
シャッタキー９が第９ストロークの押圧操作状態となっている場合には、シャッタストロークメータＳＳＭ′の第１バーＢ１乃至第９バーＢ９の全９本を共に点灯駆動させ（ステップＢ２６）、併せて上記ロックした合焦値及び露出値に基づく３枚目の静止画撮影を実行して（ステップＢ２７）、得た画像データを圧縮した後にメモリカード３７または内蔵メモリ３８に記録する（ステップＢ２８）。
【０１００】
以上で一連の静止画撮影に関する処理を一旦終了して、次の撮影に備えるべく上記ステップＢ０１からの処理に戻る。
【０１０１】
なお、上記ステップＢ１７でシャッタキー９が第６ストロークの押圧操作状態となっていないと判断した場合、上記ステップＢ１９で同第７ストロークの押圧操作状態となっていないと判断した場合、上記ステップＢ２３で同第８ストロークの押圧操作状態となっていないと判断した場合、及び上記ステップＢ２５で同第９ストロークの押圧操作状態となっていないと判断した場合には、いずれもそのまま次の撮影に備えるべく上記ステップＢ０１からの処理に戻る。
【０１０２】
このように、シャッタキー９の操作ストローク量を半押しと全押しの単なる２段階とせずに、さらなる押圧操作により所定の撮影機能、例えば２枚目と３枚目の撮影を即時実行できるように計４段階有するものとしたことで、シャッタキーを操作するストローク量を変えるだけの簡単な力の加減により静止画を連続して撮影する枚数を制御できるため、シャッタチャンスを逃さず確実に意図する静止画を連続して撮影できる。
【０１０３】
なお、上記実施の形態では、シャッタキー９が全９段階のストロークに対応して動作し、そのうちの４段階で順次割り当てられた動作を実行するものとした。
【０１０４】
しかしながら、その３段階以上の動作の割り当ては上記実施の形態に限るものではなく、例えば１段階目でＡＦ／ＡＥ処理、２段階目で静止画撮影を行なうものとしながらに、さらに３段階目で音声記録の開始や、動画撮影の開始、あるいは撮影により記録した静止画像のキャンセル操作等を行なうものとしてもよく、さらにはこのデジタルカメラ１のユーザがカスタム設定により予め用意された選択肢の中から任意に選択して設定することが可能であるものとしてもよい。
【０１０５】
（第３の実施の形態）
以下本発明をデジタル（スチル）カメラに適用した場合の第３の実施の形態について図面を参照して説明する。
【０１０６】
なお、その外観構成に関しては上記図１と、カメラの電子回路構成に関しては上記図２とそれぞれ基本的に同様であるものとし、同一部分には同一符号を付加してその図示及び説明は省略するものとする。
【０１０７】
次に上記実施の形態の動作について説明する。
【０１０８】
なお、以下に示す各処理は、基本的に制御部３２が予め固定記憶されたプログラムに基づいて実行するものである。
【０１０９】
図８及び図９は、記録モード時のシャッタキー９の操作に対する処理内容を示すもので、その当初にはキー入力部３６の全９段階のストローク量を有するシャッタキー９が最も弱い押圧操作状態である第１ストロークとなるのを待機する（ステップＣ０１）。
【０１１０】
そして、シャッタキー９が少なくとも第１ストロークまで操作されたと判断した時点で、表示部１７のシャッタストロークメータの第１バーを点灯駆動させる（ステップＣ０２）と同時に、第２ストロークの押圧操作状態となっているか否かを判断する（ステップＣ０３）。
【０１１１】
図１０は、記録モード時に表示部１７の左下端部に表示されるシャッタストロークメータＳＳＭ″を例示するものである。シャッタストロークメータＳＳＭ″は、左側に位置する長さが最も短い第１バーＢ１乃至右側に位置する長さが最も長い第９バーＢ９の計９本の表示バーでなり、その点灯表示本数でシャッタキー９の押圧操作されているストローク量を示すものとする。
【０１１２】
これら９本の表示バーＢ１〜Ｂ９は、シャッタキー９をまったく押圧操作していない状態ではその枠線のみが表示される一方で、シャッタキー９が押圧操作された場合にはそのストローク量に応じて第１バーＢ１側から適切な本数分だけが例えば赤色で点灯表示されるものとする。
【０１１３】
加えて、シャッタストロークメータＳＳＭ″の第１乃至第３バーＢ１〜Ｂ３が点灯表示される状態で所謂半押し状態としてＡＦ処理とＡＥ処理とを実行してそれらの値をロックし、第１乃至第５バーＢ１〜Ｂ５が点灯表示される状態で所謂全押し状態として１枚目の静止画の撮影とメモリカード３７または内蔵メモリ３８への記録を実行するものとする。
【０１１４】
さらに、第１乃至第７バーＢ１〜Ｂ７が点灯表示される状態でＡＥ処理により得られる適正露出値に対して「＋１ＥＶ（ＥＶ：露出値）」と「−１ＥＶ」の露出補正を施した２枚目と３枚目の静止画の連続撮影とメモリカード３７または内蔵メモリ３８への記録を、第１乃至第９バーＢ１〜Ｂ９がすべて点灯表示されるフルストローク状態で「＋２ＥＶ（ＥＶ：露出値）」と「−２ＥＶ」の露出補正を施した４枚目と５枚目の静止画の連続撮影とメモリカード３７または内蔵メモリ３８への記録をそれぞれ実行するものとする。
【０１１５】
このように、本実施の形態では、シャッタキー９が９段階中の４段階の操作ストロークでそれぞれ割り当てられた動作を実行するものとして、その９段階の操作ストロークを表示部１７で表示するものとする。
【０１１６】
しかるに、上記ステップＣ０３で第２ストロークの押圧操作状態となっていないと判断した場合には、上記ステップＣ０１からの処理に戻る一方、シャッタキー９が少なくとも第２ストロークまで操作されたと判断した場合には、表示部１７のシャッタストロークメータＳＳＭ″の第１バーＢ１及び第２バーＢ２を共に点灯駆動させる（ステップＣ０４）と同時に、第３ストロークの押圧操作状態となっているか否かを判断する（ステップＣ０５）。
【０１１７】
ここで第３ストロークの押圧操作状態となっていないと判断した場合には、上記ステップＣ０１からの処理に戻る一方、シャッタキー９が少なくとも第３ストロークまで操作されたと判断した場合には、表示部１７のシャッタストロークメータＳＳＭ″の第１バーＢ１乃至第３バーＢ３の計３本を共に点灯駆動させ（ステップＣ０６）、併せてＡＦ処理とＡＥ処理とを実行して、得た合焦値及び露出値に基づいてレンズ光学系２２の一部を構成するフォーカスレンズ位置と絞り値及びシャッタ速度をロックする（ステップＣ０７）と同時に、第４ストロークの押圧操作状態となっているか否かを判断する（ステップＣ０８）。
【０１１８】
第４ストロークの押圧操作状態となっていると判断した場合には、表示部１７のシャッタストロークメータＳＳＭ″の第１バーＢ１乃至第４バーＢ４の計４本を共に点灯駆動させる（ステップＣ０９）と同時に、第５ストロークの押圧操作状態となっているか否かを判断する（ステップＣ１０）。
【０１１９】
このステップＣ１０で第５ストロークの押圧操作状態とはなっていないと判断した場合、あるいは上記ステップＣ０８で第４ストロークの押圧操作状態とはなっていると判断した場合には、続いて上記第３ストロークの押圧操作状態が保たれているか否かを判断する（ステップＣ１１）。
【０１２０】
ここで、シャッタキー９が第３ストロークの押圧操作状態で保たれていると判断した場合には、表示部１７のシャッタストロークメータＳＳＭ″の第１バーＢ１乃至第３バーＢ３の計３本を共に点灯駆動させ（ステップＣ１２）、再び上記ステップＣ０８からの処理に戻って、上記合焦状態及び露出状態をロックしながら、シャッタキー９が第５ストロークの押圧操作状態となるのを待機する。
【０１２１】
また、ステップＣ１１でシャッタキー９が第３ストロークの押圧操作状態とはなっていないと判断した場合には、シャッタキー９の半押し状態が解除されたものとして、ロックしていた合焦状態及び露出状態を解除した後（ステップＣ１３）、再び上記ステップＣ０１からの処理に戻る。
【０１２２】
また、上記ステップＣ１０でシャッタキー９が第５ストロークの押圧操作状態となったと判断した場合には、あらためてシャッタストロークメータＳＳＭ″の第１バーＢ１乃至第５バーＢ５の５本を共に点灯駆動させ（ステップＣ１４）、上記ロックした合焦値及び露出値に基づく１枚目の静止画撮影を実行して（ステップＣ１５）、得た画像データを圧縮した後にメモリカード３７または内蔵メモリ３８に記録する（ステップＣ１６）。
【０１２３】
その後、さらにシャッタキー９が第６ストロークの押圧操作状態となっているか否か判断し（ステップＣ１７）、なっている場合にはシャッタストロークメータＳＳＭ″の第１バーＢ１乃至第６バーＢ６の６本を共に点灯駆動させた上で（ステップＣ１８）、シャッタキー９が第７ストロークの押圧操作状態となっているか否か判断する（ステップＣ１９）。
【０１２４】
シャッタキー９が第７ストロークの押圧操作状態となっている場合には、シャッタストロークメータＳＳＭ″の第１バーＢ１乃至第７バーＢ７の７本を共に点灯駆動させ（ステップＣ２０）、併せて上記ロックした合焦値及び露出値に基づいて「＋１ＥＶ」と「−１ＥＶ」の露出補正を施した２枚目と３枚目の静止画の連続撮影を実行して（ステップＣ２１）、得た画像データをそれぞれ圧縮した後にメモリカード３７または内蔵メモリ３８に記録する（ステップＣ２２）。
【０１２５】
その上で、さらにシャッタキー９が第８ストロークの押圧操作状態となっているか否か判断し（ステップＣ２３）、なっている場合にはシャッタストロークメータＳＳＭ″の第１バーＢ１乃至第８バーＢ８の８本を共に点灯駆動させた上で（ステップＣ２４）、シャッタキー９が第９ストロークの押圧操作状態となっているか否か判断する（ステップＣ２５）。
【０１２６】
シャッタキー９が第９ストロークの押圧操作状態となっている場合には、シャッタストロークメータＳＳＭ″の第１バーＢ１乃至第９バーＢ９の全９本を共に点灯駆動させ（ステップＣ２６）、併せて上記ロックした合焦値及び露出値に基づいて「＋２ＥＶ」と「−２ＥＶ」の露出補正を施した４枚目と５枚目の静止画の連続撮影を実行して（ステップＣ２７）、得た画像データをそれぞれ圧縮した後にメモリカード３７または内蔵メモリ３８に記録する（ステップＣ２８）。
【０１２７】
以上で一連の静止画撮影に関する処理を一旦終了して、次の撮影に備えるべく上記ステップＣ０１からの処理に戻る。
【０１２８】
なお、上記ステップＣ１７でシャッタキー９が第６ストロークの押圧操作状態となっていないと判断した場合、上記ステップＣ１９で同第７ストロークの押圧操作状態となっていないと判断した場合、上記ステップＣ２３で同第８ストロークの押圧操作状態となっていないと判断した場合、及び上記ステップＣ２５で同第９ストロークの押圧操作状態となっていないと判断した場合には、いずれもそのまま次の撮影に備えるべく上記ステップＣ０１からの処理に戻る。
【０１２９】
このように、シャッタキー９の操作ストローク量を変えるだけの簡単な力の加減により、オートブラケット機能の有無及びその撮影枚数を制御できるため、ユーザが意図する補正を行なうオートブラケット機能においては、シャッタキー９をその第７ストロークまで操作する状態で適正露出値に対して「±１ＥＶ」の２枚の静止画を、さらに第９ストロークまで操作する状態で適正露出値に対して「±２ＥＶ」の２枚の静止画をそれぞれ撮影して記録するものとして説明したが、この露出補正を行なう際のステップ幅「±ｘＥＶ」や、具体的に露出補正を行なう場合の露出方法、例えば絞り優先露出、シャッタ速度優先露出、プログラム露出などはユーザの設定により任意に切り換えることが可能であるものとする。
【０１３０】
なお、上記第３の実施の形態では、シャッタキー９の操作ストローク量に応じて、単なる適正露出での静止画の撮影に加えてオートブラケット機能での撮影を行なうものとして説明したが、本実施の形態はこれに限るものではなく、複数の静止画を連続して撮影する連写撮影を行なうものとし、シャッタキー９の操作ストローク量に応じてその連写速度、例えば２コマ／［秒］、３コマ／［秒］、５コマ／［秒］等を切り換えるものとしてもよい。
【０１３１】
また、上記第１乃至第３の実施の形態ではいずれも、シャッタキー９の操作ストローク量をデジタルカメラ１の背面に設けられた液晶パネルでなる表示部１７の端部でシャッタストロークメータＳＳＭ（ＳＳＭ′，ＳＳＭ″）として表示するものとして説明したが、本発明はこれに限らず、例えばデジタルカメラ１の全面、被写体に面した側に複数のＬＥＤを配設してこれを操作ストローク量に応じて適宜個数だけ点灯表示することにより、撮影のタイミングを被写体に報知するものとしてもよい。
【０１３２】
このようにすることで、適宜シャッタ音も組み合わせて使用することにより、特に被写体の人物が比較的近距離にいる人物撮影を行なう際には、撮影タイミングをわかり易い状態で報知することもできる。
【０１３３】
さらに、上記第１乃至第３の実施の形態ではいずれも、操作キーとしてシャッタキー９の操作ストローク量を表示するものとして説明したが、本発明はこれに限らず、単なるオン／オフ操作を行なうのではなく、その操作ストローク量に応じてなんらかの撮影機能を設定することが可能な操作キー、例えば撮影レンズ系にズームレンズを有するカメラでそのズーム量を可変設定するズーム（レバー）キーなどに適用することも可能である。
【０１３４】
その他、本発明は上記実施の形態に限らず、その要旨を逸脱しない範囲内で種々変形して実施することが可能であるものとする。
【０１３５】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【０１３６】
【発明の効果】
請求項１記載の発明によれば、操作キーのストローク量を検出して段階的に表示することにより、はじめて押圧操作するキーでもその微妙な操作量を視認することで客観的に把握しながら操作できる。
【０１３７】
請求項２記載の発明によれば、上記請求項１記載の発明の効果に加えて、特にシャッタキーで撮影条件を決定する半押し状態までのストローク量を段階的に表示することで、適正な合焦、露出状態を得ることができ、意図する静止画を確実に撮影できる。
【０１３８】
請求項３記載の発明によれば、上記請求項１記載の発明の効果に加えて、キー操作のストローク量を変えるだけの簡単な操作により、単なる静止画撮影以上の撮影機能を容易に実現できる。
【０１３９】
請求項４記載の発明によれば、上記請求項１記載の発明の効果に加えて、キーのストローク量を視覚的に理解し易い形で表示できる。
【０１４０】
請求項５記載の発明によれば、上記請求項１記載の発明の効果に加えて、キーのストローク量を視覚的により理解し易い形で表示できる。
【０１４１】
請求項６記載の発明によれば、上記請求項３記載の発明の効果に加えて、シャッタキーを操作するストローク量を変えるだけの簡単な力の加減により静止画を連続して撮影する枚数を制御できるため、シャッタチャンスを逃さず確実に意図する静止画を撮影することができる。
【０１４２】
請求項７記載の発明によれば、上記請求項６記載の発明の効果に加えて、シャッタキーを操作するストローク量を変えるだけの簡単な力の加減によりオートブラケット機能の有無及びその撮影枚数を制御できるため、意図する適正な露出での静止画を確実に撮影することができる。
【０１４３】
請求項８記載の発明によれば、操作キーのストローク量を検出して段階的に表示することにより、はじめて押圧操作するキーでもその微妙な操作量を視認することで客観的に把握しながら操作できる。
【０１４４】
請求項９記載の発明によれば、操作キーのストローク量を検出して段階的に表示することにより、はじめて押圧操作するキーでもその微妙な操作量を視認することで客観的に把握しながら操作できる。
【図面の簡単な説明】
【図１】本発明の第１の実施の形態に係るデジタルカメラの外観構成を示す斜視図。
【図２】同実施の形態に係るデジタルカメラの電子回路構成を示すブロック図。
【図３】同実施の形態に係る記録モード時のシャッタキーの操作に対応する処理内容を示すフローチャート。
【図４】同実施の形態に係る表示部に表示されるシャッタストロークメータを説明する図。
【図５】本発明の第２の実施の形態に係る記録モード時のシャッタキーの操作に対応する処理内容を示すフローチャート。
【図６】同実施の形態に係る記録モード時のシャッタキーの操作に対応する処理内容を示すフローチャート。
【図７】同実施の形態に係る表示部に表示されるシャッタストロークメータを説明する図。
【図８】本発明の第３の実施の形態に係る記録モード時のシャッタキーの操作に対応する処理内容を示すフローチャート。
【図９】同実施の形態に係る記録モード時のシャッタキーの操作に対応する処理内容を示すフローチャート。
【図１０】同実施の形態に係る表示部に表示されるシャッタストロークメータを説明する図。
【符号の説明】
１…デジタルカメラ、２…撮影レンズ、３…セルフタイマランプ、４…光学ファインダ窓、５…マイクロホン部、６…ストロボ発光部、７…ラバーグリップ、８…電源キー、９…シャッタキー、１０…モードスイッチ（ＳＷ）、１１…スピーカ部、１２…メニューキー、１３…十字キー、１４…セットキー、１５…光学ファインダ、１６…ストロボチャージランプ、１７…表示部、２１…モータ（Ｍ）、２２…レンズ光学系、２３…ＣＣＤ、２４…タイミング発生器（ＴＧ）、２５…垂直ドライバ、２６…サンプルホールド回路（Ｓ／Ｈ）、２７…Ａ／Ｄ変換器、２８…カラープロセス回路、２９…ＤＭＡコントローラ、３０…ＤＲＡＭインタフェース（Ｉ／Ｆ）、３１…ＤＲＡＭ、３２…制御部、３３…ＶＲＡＭコントローラ、３４…ＶＲＡＭ、３５…デジタルビデオエンコーダ、３６…ＪＰＥＧ回路、３７…メモリカード、３８…内蔵メモリ、３９…キー入力部、４０…音声処理部、４１…ＵＳＢインタフェース（Ｉ／Ｆ）、４２…ストロボ駆動部、ＳＳＭ，ＳＳＭ′，ＳＳＭ″…シャッタストロークメータ、Ｂ１〜Ｂ９…バー。
【図１】
2004354498.tif 000003
【図２】
2004354498.tif 000004
【図３】
2004354498.tif 000005
【図４】
2004354498.tif 000006
【図５】
2004354498.tif 000007
【図６】
2004354498.tif 000008
【図７】
2004354498.tif 000009
【図８】
2004354498.tif 000010
【図９】
2004354498.tif 000011
【図１０】
2004354498.tif 000012